(57)【要約】【課題】ＬＥＤ素子と電源回路ユニットを備える安価なＬＥＤ照明装置を提供する。【解決手段】ＬＥＤ照明装置１は、光源としてのＬＥＤ素子３１と、ＬＥＤ素子３１が実装されるＬＥＤ基板３３と、表面にＬＥＤ基板３３が配され且つ被取付部材に取り付けられる引掛刃を保持するベース部材２と、ベース部材２の裏面に配され且つＬＥＤ素子３１に電力を供給する電源回路ユニット４とを備え、ベース部材２は表側に突出する有底筒状部２１を有し、有底筒状部２１の底部分の表側にＬＥＤ基板３３が装着され、有底筒状部２１の底部分の裏側に電源回路ユニット４が装着されている。【選択図】図３
2017188388.tif 000002
【特許請求の範囲】
【請求項１】
光源としてのＬＥＤ素子と、
前記ＬＥＤ素子が実装されるＬＥＤ基板と、
表面に前記ＬＥＤ基板が配され且つ被取付部材に取り付けられる引掛刃を保持するベース部材と、
前記ベース部材の裏面に配され且つ前記ＬＥＤ素子に電力を供給する電源回路ユニットと
を備えるＬＥＤ照明装置において、
前記ベース部材は表側に突出する有底筒状部を有し、
前記有底筒状部の底部分の表側に前記ＬＥＤ基板が装着され、前記有底筒状部の底部分の裏側に前記電源回路ユニットが装着されている
ＬＥＤ照明装置。
【請求項２】
前記ベース部材は、前記有底筒状部の底部分の中央に、前記引掛刃を保持する引掛刃保持部を有し、
前記ＬＥＤ基板が前記引掛刃保持部を囲繞する状態で配されている
請求項１に記載のＬＥＤ照明装置。
【請求項３】
前記電源回路ユニットは前記ＬＥＤ基板の裏側に位置している
請求項２に記載のＬＥＤ照明装置。
【請求項４】
前記電源回路ユニットは、前記ベース部材の底部分の一部を露出する状態で、裏カバーより覆われている
請求項３に記載のＬＥＤ照明装置。
【発明の詳細な説明】
【技術分野】
【０００１】
本発明は、光源としてのＬＥＤ素子を備えるＬＥＤ照明装置に関する。
【背景技術】
【０００２】
近年、省電力化に優れたＬＥＤ素子と、ＬＥＤ素子に電力を供給する電源回路ユニットとを備える照明装置が提案されている（例えば特許文献１）。
特許文献１に記載のＬＥＤ照明装置は、ＬＥＤ素子を実装するＬＥＤ基板がベース部材の表面に設けられ、電源回路ユニットを装着する電源カバーがベース部材の裏側に設けられている。
【先行技術文献】
【特許文献】
【０００３】
【特許文献１】特許第５７９０９３２号公報
【発明の概要】
【発明が解決しようとする課題】
【０００４】
上記ＬＥＤ照明装置では、電源カバーに電源回路ユニットを装着しているため、電源カバーが強固なものとなり、コスト高となっている。
本発明は、ＬＥＤ素子と電源回路ユニットを備える安価なＬＥＤ照明装置を提供することを目的とする。
【課題を解決するための手段】
【０００５】
本発明に係るＬＥＤ照明装置は、光源としてのＬＥＤ素子と、前記ＬＥＤ素子が実装されるＬＥＤ基板と、表面に前記ＬＥＤ基板が配され且つ被取付部材に取り付けられる引掛刃を保持するベース部材と、前記ベース部材の裏面に配され且つ前記ＬＥＤ素子に電力を供給する電源回路ユニットとを備えるＬＥＤ照明装置において、前記ベース部材は表側に突出する有底筒状部を有し、前記有底筒状部の底部分の表側に前記ＬＥＤ基板が装着され、前記有底筒状部の底部分の裏側に前記電源回路ユニットが装着されている。
【発明の効果】
【０００６】
上記構成によれば、電源回路ユニットが有底筒状部の底部分の裏側に装着されているため、強固な電源カバーが不要となり、安価なＬＥＤ照明装置を提供できる。
【図面の簡単な説明】
【０００７】
【図１】（ａ）はＬＥＤ照明装置を表側から見た斜視図であり、（ｂ）はＬＥＤ照明装置を裏側から見た図である。
【図２】ＬＥＤ照明装置の断面正面図である。
【図３】ＬＥＤ照明装置を分解した状態を表側から見た斜視図である。
【図４】ＬＥＤ照明装置を分解した状態を裏側から見た斜視図である。
【図５】（ａ）はベース部材を表側から見た斜視図であり、（ｂ）はベース部材を裏側から見た斜視図である。
【図６】（ａ）はベース部材に電源回路ユニットとＬＥＤモジュールとが取付けられた状態を表側から見た斜視図であり、（ｂ）はベース部材に電源回路ユニットとＬＥＤモジュールとが取付けられた状態を裏側から見た斜視図である。
【図７】（ａ）はベース部材に表カバーと裏カバーとが取付けられた状態を表側から見た斜視図であり、（ｂ）はベース部材に表カバーと裏カバーとが取付けられた状態を裏側から見た斜視図である。
【図８】（ａ）はベース部材にフレームが取付けられた状態を表側から見た斜視図であり、（ｂ）はベース部材にフレームが取付けられた状態を裏側から見た斜視図である。
【図９】裏カバー内を示す断面を裏側から見た斜視図である。
【図１０】（ａ）は表カバーを裏側から見た斜視図であり、（ｂ）は表カバーの断面図である。
【図１１】（ａ）は裏カバーを裏側から見た斜視図であり、（ｂ）は裏カバーを表側から見た斜視図である。
【図１２】（ａ）はフレームを表側から見た斜視図であり、（ｂ）はフレームを裏側から見た斜視図である。
【図１３】（ａ）はフレームを装着する前の状態を表側から見た断面斜視図であり、（ｂ）はフレームを装着する前の状態を裏側から見た断面斜視図である。
【図１４】（ａ）は透光性カバーを表側から見た斜視図であり、（ｂ）は透光性カバーを裏側から見た斜視図である。
【図１５】（ａ）はベース部材の大きさを説明する図であり、（ｂ）は照明装置の大きさを説明する図である。
【発明を実施するための形態】
【０００８】
＜概要＞
実施形態の一態様に係るＬＥＤ照明装置は、光源としてのＬＥＤ素子と、前記ＬＥＤ素子が実装されるＬＥＤ基板と、表面に前記ＬＥＤ基板が配され且つ被取付部材に取り付けられる引掛刃を保持するベース部材と、前記ベース部材の裏面に配され且つ前記ＬＥＤ素子に電力を供給する電源回路ユニットとを備えるＬＥＤ照明装置において、前記ベース部材は表側に突出する有底筒状部を有し、前記有底筒状部の底部分の表側に前記ＬＥＤ基板が装着され、前記有底筒状部の底部分の裏側に前記電源回路ユニットが装着されている。
実施形態の別態様に係るＬＥＤ照明装置において、前記ベース部材は、前記有底筒状部の底部分の中央に、前記引掛刃を保持する引掛刃保持部を有し、前記ＬＥＤ基板が前記引掛刃保持部を囲繞する状態で配されている。これにより、有底筒状部の底部分を有効に利用できる。
実施形態の別態様に係るＬＥＤ照明装置において、前記電源回路ユニットは前記ＬＥＤ基板の裏側に位置している。これにより、電源回路ユニットとＬＥＤ基板とを接続する電気ケーブルを短くできる。
実施形態の別態様に係るＬＥＤ照明装置において、前記電源回路ユニットは、前記ベース部材の底部分の一部を露出する状態で、裏カバーより覆われている。これにより、ベース部材の放熱性低下を抑制できる。
【０００９】
＜第１の実施形態＞
１．概要
第１の実施形態に係るＬＥＤ照明装置（以下、単に「照明装置」とする。）１は、図１に示すように、図外の天井等の設置面の引掛シーリングや引掛ローゼット等の被取付部材に取り付けられて使用する、所謂、シーリングライトである。
照明装置１は、図１〜図４、特に図３及び図４に示すように、ベース部材２を備え、ベース部材２の表側にＬＥＤモジュール３を、ベース部材２の裏側に電源回路ユニット４をぞれぞれ有する。ＬＥＤモジュール３は表カバー５により覆われ、電源回路ユニット４は裏カバー６により覆われている。照明装置１は表カバー５を収容する外カバー７を備える。
換言すると、照明装置１は、図５に示すように、表側に突出する有底筒状部２１を有するベース部材２を有している。ここで、有底筒状部２１の中心軸はベース部材２の中心軸ともいう。
【００１０】
ベース部材２の有底筒状部２１の表面には図６の（ａ）に示すようにＬＥＤモジュール３が設けられている。ベース部材２の有底筒状部２１の裏面には図６の（ｂ）に示すように電源回路ユニット４が設けられている。
なお、図６の（ａ）では、符号が「３Ａ」、「３Ｂ」及び「３Ｃ」の３種類のＬＥＤモジュール３が記載されている。ＬＥＤモジュール３Ａは適用畳数が６畳以下のタイプであり、ＬＥＤモジュール３Ｂは適用畳数が８畳以下のタイプであり、ＬＥＤモジュール３Ｃは適用畳数が１２畳以下のタイプである。本来の照明装置１は、１種類のＬＥＤモジュール３を複数個、例えば３個有しているが、ここでのベース部材２は、３種類のＬＥＤモジュール３Ａ，３Ｂ，３Ｃのすべてを装着できる共通部材としての構成を現すため、便宜上３種類のＬＥＤモジュール３を記載している。種類（適用畳数）に関係なくＬＥＤモジュールを説明する場合の符号は単に「３」とし、個別の種類のＬＥＤモジュールを説明する場合の符号は「３」にアルファベットを付す。
【００１１】
ＬＥＤモジュール３を装着するベース部材２の表面には図７の（ａ）に示すように表カバー５が設けられている。なお、ここでの表カバー５は複数個、例えば２個の表カバー体５１Ａ，５１Ｂにより構成されている。表カバー体５１Ａ，５１Ｂは同じ構成であるため、表カバー体の符号を単に「５１」とする。
電源回路ユニット４を装着するベース部材２の裏面には図７の（ｂ）に示すように裏カバー６が設けられている。
ベース部材２に装着された表カバー５には図８に示すように外カバー７のフレーム７１が嵌合して設けられる。フレーム７１は、後述の透光性カバー７５が装着されて、図１及び図２に示す照明装置１となる。
以下、各部について説明する。
【００１２】
２．各部構成
（１）ベース部材
主に図５を用いて説明する。
ベース部材２は金属製のベース板２３と樹脂製の引掛刃保持体２５とを一体に備える一体成形品である。ベース板２３と引掛刃保持体２５は例えばインサート成形等により一体化されている。なお、ＬＥＤ素子３１を低電流で点灯させる等によりＬＥＤモジュール３の温度上昇を抑制できれば、ベース部材のすべてが樹脂材料により構成されてもよい。つまり、ベース板２３に相当する部分を樹脂材料により構成してもよい。
ベース板２３は、主に図３、図４及び図６に示すように、ＬＥＤモジュール３及び電源回路ユニット４を搭載する機能を有する。引掛刃保持体２５は、図１の（ｂ）に示すように、一対の引掛刃２５１，２５１を保持する機能を有する。
【００１３】
（１−１）ベース板
主に図５を用いて説明する。
ベース板２３は、中央部分に引掛刃保持体２５が一体で設けられている表平坦部２３１を有している。引掛刃保持体２５が成形される前のベース板２３は表平坦部２３１の中央に貫通孔を有し、この貫通孔を介して表平坦部２３１の表裏に亘って引掛刃保持体２５が形成されている。表平坦部２３１の表面には図６の（ａ）に示すようにＬＥＤモジュール３が密着する状態で装着される。なお、表平坦部２３１を表側から見た外周形状は、特に限定するものではないが、ここでは円形状をしている。
ベース板２３は、表平坦部２３１の外周縁から裏側へと筒状に延伸する内筒部２３３を有している。内筒部２３３には、図７の（ｂ）に示すように、裏カバー６が取り付けられ、図６の（ｂ）及び図７の（ｂ）に示すように電源回路ユニット４が保護される。ここでの内筒部２３３は裏側に移るにしたがって拡径するテーパ状をしている。
表平坦部２３１と内筒部２３３とで有底筒状部２１が構成される。ベース板２３は表平坦部２３１の機械的特性を向上させるために、周方向に延伸する周リブ２３１ａ、径方向に延伸する径リブ２３１ｂ、幅広径リブ２３１ｃを有している。なお、周リブ２３１ａ、径リブ２３１ｂ及び幅広径リブ２３１ｃは裏側に凹入するように湾曲することで構成されている。これにより、表平坦部２３１とＬＥＤモジュール３との密着性を維持しつつ機械的特性を向上できる。
【００１４】
ベース板２３は、内筒部２３３の裏側の端縁から表平坦部２３１と平行であって内筒部２３３の外側へ延伸する環状の裏平坦部２３５を有している。裏平坦部２３５の裏面には図１の（ｂ）に示すように緩衝材２７が取り付けられている。なお、緩衝材２７の表示は図１の（ｂ）以外の図では省略している。
ベース板２３は、図９にも示すように、裏平坦部２３５の外周縁から表側に筒状に延伸する外筒部２３７と、外筒部２３７の表側端縁から径方向の外方へと張り出す外鍔部２３９とを有している。なお、ベース板２３は金属板（例えば、スチールである。）をプレス加工してなる。
【００１５】
（１−２）引掛刃保持体
主に図５及び図６を用いて説明する。
引掛刃保持体２５は設置面の被取付部材に取り付けられる一対の引掛刃２５１，２５１を保持する（なお、図５には引掛刃２５１はない。）。引掛刃保持体２５は、図５の（ａ）及び図６の（ａ）に示すようにベース板２３の貫通孔の周辺部（ベース板２３の中央部）における表面側に設けられたベース部２５３と、ベース部２５３からベース板２３の貫通孔を通り裏側に延伸する有底筒状部２５５と、有底筒状部２５５の底部分２５５ａから表側へ中空状に突出する突出部２５７とを有している。
【００１６】
ベース部２５３は中央に貫通孔２５３ａを有している。透光性カバー７５を外した状態の照明装置１を被取付部材に取り付ける際に、取付者が突出部２５７を把持するための開口として貫通孔２５３ａが機能する。なお、被取付部材への取付時に、例えば取付者がベース板２３の貫通孔の周縁でケガをしないように、ベース部２５３は貫通孔の周縁を覆っている。
ベース部２５３の貫通孔２５３ａは長円状をしている。貫通孔２５３ａは、ベース部材２を表側から見て、ベース板２３の貫通孔が露出しない位置に設けられている。つまり、ベース部２５３の貫通孔２５３ａの開口縁はベース板２３の貫通孔の開口縁よりに内側に位置している。なお、ベース部２５３の貫通孔２５３ａの内周縁は有底筒状部２５５の筒状部分２５５ｂの内周面（縁）と一致している。
ベース部２５３は、図５の（ｂ）に示すようにベース板２３の貫通孔の周辺のピン孔を介して裏側に延出するピン２５３ｂを有している。ピン２５３ｂの基部側の外周には、同図に示すように縦リブ２５３ｃが設けられている。ピン２５３ｂは、図６の（ｂ）に示すように、回路基板４３の貫通孔４３ｂを表側から挿通し、回路基板４３を表側から縦リブ２５３ｃで支持する。つまり、ベース部２５３は回路基板４３をベース板２３に対して表裏方向に間隔をおいた状態で支持する機能を有している。
【００１７】
有底筒状部２５５は、筒状部分２５５ｂを有し、底部分２５５ａが裏側に位置するように設けられている。筒状部分２５５ｂは横断面が長円環状をしている。有底筒状部２５５は底部分２５５ａの外周縁に、図５の（ｂ）及び図６の（ｂ）に示すように、段差部分２５５ｃと凸部分２５５ｄとを有している。段差部分２５５ｃ及び凸部分２５５ｄは裏カバー６を取り付ける際の位置機能を有する。
突出部２５７は、引掛刃２５１先端部が当該突出部２５７の開口から裏側へと延出するように、突出部２５７の内部空間を利用して引掛刃２５１を保持（固定）する。なお、突出部２５７には被取付部材への取付状態をロック・解除するためのロック手段が設けられている。
引掛刃保持体２５は透明性（透光性）を有する樹脂材料により構成されている。つまり、有底筒状部２５５の底部分２５５ａは引掛刃２５１，２５１を保持しており、引掛刃保持体２５の少なくとも底部分２５５ａは表側から裏側を視認できる樹脂材料により構成されている。これにより、被取付部材への取り付けの際に、自装置の一対の引掛刃２５１，２５１と被取付部材の取付溝との位置関係を確認できて、自装置の取り付けがスムーズに行うことが可能となる。
【００１８】
（２）ＬＥＤモジュール
主に図６の（ａ）を用いて説明する。
ＬＥＤモジュール３は複数個、例えば３個ある。３個のＬＥＤモジュール３はベース板２３の中央の引掛刃保持体２５を囲んで環状に配されている。
ＬＥＤモジュール３は、複数個のＬＥＤ素子３１と、当該複数個のＬＥＤ素子３１が実装されるＬＥＤ基板３３とを有する。ここでの複数個のＬＥＤ素子３１としては、ＬＥＤモジュール３Ａ以外は調色点灯するために発光色の異なる複数種類が用いられる。ここで利用されているＬＥＤ素子３１は、所謂「ミドルチップ」であり、電源回路ユニット４がＬＥＤ素子３１に供給する電力は０．１（Ｗ）以上１．０（Ｗ）以下の範囲内である。これにより発光効率を高めることができる。
【００１９】
各ＬＥＤ基板３３は、矩形状に似た長さの等しい２つの基板部間の角度が１２０［度］となるように２つの基板部を連結した「へ」字状をし、ＬＥＤ素子３１がＬＥＤ基板３３の長手方向（２つの基板部の長手方向に沿う方向である。）に沿って実装されている。これにより、複数個のＬＥＤ素子３１が全体として１重又は多重の円環状又は６角環状に配されることになる。各ＬＥＤ基板３３は長手方向の両端付近でねじ体３４により固定されている。なお、ねじ体３４は、図５の（ａ）に示すように、ベース部材２のベース板２３のねじ孔２３１ｈに螺合する。
【００２０】
３個のＬＥＤ基板３３は図示しないリード線により端子３５同士が接続されている。ここで、ＬＥＤモジュール３Ａは調色機能を有していないため、ＬＥＤ基板３３には端子が１つ設けられている。ＬＥＤモジュール３Ｂ，３Ｃは２個の端子３５を有している。なお、ＬＥＤ基板３３のグランドは、電源回路ユニット４から接続される電気ケーブル４６からのグランドを利用している。
端子３５は、ＬＥＤ素子３１が配されている環状の内側に位置するようにＬＥＤ基板３３に配されている。換言すると、端子３５はＬＥＤ基板３３の長手方向の端部であって最内周のＬＥＤ素子３１よりも内周側にある。なお、図６の（ａ）では、便宜上、３種類のＬＥＤモジュール３Ａ，３Ｂ，３Ｃを示しており、例えば、ＬＥＤモジュール３Ａの端子３５はＬＥＤモジュール３Ｃの最内周のＬＥＤ素子３１より外周側にある。しかしながら、実際の照明装置は１種類のＬＥＤモジュール３を備えるため、端子３５は最内周のＬＥＤ素子３１よりも引掛刃保持体２５側に位置する。
ベース板２３は周方向に等間隔をおいた３か所に幅広径リブ２３１ｃを有し、当該幅広径リブ２３１ｃの位置にＬＥＤ基板３３の長手方向の端が位置する状態でＬＥＤモジュール３が配されている。これにより、ＬＥＤモジュール３間の端子３５を接続する際のベース板２３との接触を回避して、安全性の向上を図る。
【００２１】
３つのＬＥＤ基板３３のうち、１つのＬＥＤ基板３３には、電源回路ユニット４と接続された電気ケーブル４６のコネクタ４６ａと接続するためのソケット３７，３７が設けられている。なお、ソケット３７，３７が設けられているＬＥＤ基板３３は、ＬＥＤモジュール３Ｃが配されている位置の基板である。
３つのＬＥＤ基板３３のうち、１つのＬＥＤ基板３３には、常夜灯３８と受光素子３９とが設けられている。受光素子３９はリモコンから操作信号を受信する。なお、常夜灯３８及び受光素子３９が設けられているＬＥＤ基板３３は、ＬＥＤモジュール３Ｃが配されている位置の基板である。
ソケット３７，３７、常夜灯３８及び受光素子３９は、ＬＥＤ素子３１が配されている環状の内側に位置するようにＬＥＤ基板３３に設けられている。
【００２２】
（３）電源回路ユニット
主に図６の（ｂ）を用いて説明する。
電源回路ユニット４は、ＬＥＤ素子３１に供給する電力を交流電力から生成するための電力変換回路や、調光点灯するための調光回路や、調色点灯するための調色回路（ＬＥＤモジュール３Ａは除く。）等を含む。電源回路ユニット４は、複数個の回路部品４１と、回路部品４１が実装される回路基板４３とを備える。なお、言うまでもなく、回路部品は上記回路を構成する電子部品であり、図４及び図６の（ｂ）には便宜上１個の回路部品４１だけが記載されている。
【００２３】
回路基板４３は、上記回路を構成するように複数個の回路部品４１を接続するための配線パターン（図示省略）を有している。回路基板４３は、矩形状に似た長さの異なる２つの基板部を直状に連結して外周縁が円弧状をする「Ｌ」字に近い形状をし、ベース部材２の引掛刃保持体２５の外周面に沿って配されている。回路基板４３は、「Ｌ」字を構成する長い方の基板部が長円状の引掛刃保持体２５の長軸と平行に配され、「Ｌ」字を構成する短い方の基板部が長円状の引掛刃保持体２５の短軸と平行に配されている。これにより、長円状の引掛刃保持体２５の周辺空間を効率よく利用できる。
回路基板４３は、図９に示すように、ベース板２３の表平坦部２３１と間隔をおいた状態で、図６の（ｂ）及び図９に示すようにねじ体４７により固定されている。これにより、ベース部材２との間の絶縁性を向上させることができる。なお、ベース板２３の表平坦部２３１と回路基板４３との間には図６の（ｂ）に示すように絶縁シート４９が配されている。なお、絶縁シート４９は図９では省略している。
【００２４】
表平坦部２３１は、図５及び図９に示すように回路基板４３と間隔を空けるための凸部２３１ｄを有している。凸部２３１ｄは「Ｌ」字の回路基板４３の長手方向の端部に相当する部分に存在し、頂部にねじ体４７用のねじ孔を有している。ここでの凸部２３１ｄはベース板２３を構成する金属板を湾曲させてなる。ねじ体４７は、図６の（ｂ）に示すように、裏側からねじ孔に螺合する。ねじ孔は凸部２３１ｄの頂部に設けられているため、ねじ体４７の先端部とＬＥＤ基板３３とが接触し難い構造となっている。
なお、裏カバー６は、図９に示すように、横断面がねじ体４７の頭部の十字孔と同じ形状の延伸片６３３を有する。延伸片６３３はねじ体４７の十字孔に嵌ると裏カバー６の位置決め機能を発揮する。
回路基板４３は、図６の（ｂ）に示すように、引掛刃保持体２５にある一対の引掛刃２５１に対して電気ケーブル２６を介して接続されている。回路基板４３には電気ケーブル２６のコネクタ２６ａと接続するソケット４５が設けられている。回路基板４３は、ＬＥＤモジュール３に対して電気ケーブル４６を介して接続されている。回路基板４３には電気ケーブル４６のコネクタ４６ｂと接続するソケット４８が設けられている。
【００２５】
（４）表カバー
図７の（ａ）及び図１０を用いて説明する。
表カバー５はＬＥＤモジュール３に対向する状態でＬＥＤモジュール３を覆う。これにより、例えば透光性カバー７５を外した状態の照明装置１を設置面の被取付部材に取り付ける際に、取付者がＬＥＤ素子３１に触れるのを防止できる。
表カバー５は、図３及び図７の（ａ）に示すように、表側から見た形状が円環状をし、当該環状をした部分が表側にドーム状に膨出する形状をしている。換言すると、表カバー５の形状は、ドーナッツ形状の中心軸と直交する仮想面でドーナッツの表側を切断したときの表側部分の外面形状に似ている。
【００２６】
表カバー５は表側にドーム状に膨出する膨出部５３を有している。膨出部５３は、横断面形状が略円弧状をする円弧部５３１と、円弧部５３１の内周縁から裏側に延伸する内筒部５３３と、円弧部５３１の外周縁から裏側に延伸する外筒部５３５とを有している。
円弧部５３１は、図２に示すように、ＬＥＤモジュール３と対向する部分の円弧の半径は大きく、ＬＥＤモジュール３に対して略平行な状態となっている。円弧部５３１の裏面には、図１０に示すように、裏側に突出する突出片５３１ａが設けられている。突出片５３１ａはＬＥＤ基板３３の表面と近接又は接触し、ＬＥＤモジュール３の表側への移動を規制する。
内筒部５３３は、表側又は裏側から見たときに、図７の（ａ）又は図１０の（ａ）に示すように、長円状をしている。内筒部５３３は、図１０に示すように、周方向に間隔をおいてベース部材２の係合孔２５３ｄ（図５の（ａ）参照）に係合する係合片５３３ａを有している。なお、内筒部５３３における係合片５３３ａを除く裏側端はベース部材２の引掛刃保持体２５のベース部２５３の表面に当接する。
外筒部５３５は、図２に示すように、ベース部材２の内筒部２３３の傾斜に合わせて裏側拡がりに傾斜する。外筒部５３５の裏側端は、図２及び図１３に示すように、ベース部材２の裏平坦部２３５の表面に当接する。
【００２７】
表カバー５は上記のように２つの表カバー体５１Ａ，５１Ｂから構成される。このため、表カバー体５１は、図１０に示すように、円弧部５３１の両端縁において内筒部５３３と外筒部５３５とを連結する連結部５１１を有している。なお、連結部５１１は、円弧部５３１を補強する機能と表カバー体５１の成形時の反り防止する機能とを有する。
連結部５１１は、隣接するＬＥＤ基板３３の端部及びＬＥＤ基板における「へ」字状に屈曲する部分に位置する。これにより、ＬＥＤ素子３１から出射される光の配光特性に及ぼす影響を少なくしている。また、ＬＥＤ基板３３の表側への移動を規制している。
表カバー５にはベース部材２への装着用の装着部５５が設けられている。装着部５５は膨出部５３の周方向に間隔をおいて複数個設けられている。ここでの装着部５５は、各表カバー体５１において、膨出部５３の周方向の両端側と、周方向の中央側との合計３個設けられている。装着部５５は外筒部５３５の外周から径方向の外方へと張り出す張出部分５５１の貫通孔５５３により構成される。貫通孔５５３には、図7の（ａ）に示すように、ねじ体５９が挿通する。ねじ体５９は、図５に示すように、ベース部材２の裏平坦部２３５のねじ孔２３５ａに螺合する。
表カバー５は、図８の（ａ）に示すように、外カバー７（フレーム７１）を装着するための装着部５７を有している。装着部５７は周方向に間隔をおいて複数個設けられている。ここでは、各表カバー体５１において、３個の表カバー５用の装着部５５の間に装着部５７が設けられ、合計２個の装着部５７がある（表カバー５として合計４個の装着部５７を有する。）。装着部５７は、図１０に示すように、外筒部５３５の裏側端縁から少し表側に移った部位に設けられている。装着部５７は表側の端縁と平行に延伸する係止片５７１より構成される。ここでのフレーム７１の装着は、図８の（ａ）に示すように、ベース部材２の中心軸の周りをＡ方向に回転させることで、フレーム７１の係止片７２５が表カバー５の係止片５７１に係合する。装着部５７は、図７の（ａ）及び図１０の（ａ）に示すように、フレーム７１の装着する際の回転止め５７３を有している。
【００２８】
（５）裏カバー
主に図７の（ｂ）、図９及び図１１を用いて説明する。
裏カバー６は、図１の（ｂ）に示すように、ベース部材２の裏側を引掛刃保持体２５の底部分２５５ａを露出する状態で、電源回路ユニット４及び引掛刃保持体２５を覆う。換言すると、裏カバー６は、図１の（ｂ）に示すように、電源回路ユニット４が存在していないベース板２３の表平坦部２３１を露出させた状態で、ベース板２３の裏側を覆う。これにより、ベース板２３の表平坦部２３１の裏側全面を覆う場合に比べて、ベース部材２の放熱性を確保しつつ裏カバー６を安価に設けることができる。
【００２９】
裏カバー６は、有底筒状部２５５の底部分２５５ａに対応した貫通孔６１９を有する板部６１と、板部６１の外周縁からベース部材２の内筒部２３３を通って表側に延伸する筒部６３とを有している。
板部６１は、裏側から見たとき、中心角が９０［度］の扇状に近い形状をしている。板部６１は、裏側から見たときに、引掛刃保持体２５よりも大きな半径の半円部分６１１と、半円部分６１１の端から径方向の外方へと向かう延伸する延伸部分６１３と、延伸部分６１３の延伸先端同士を円弧状に結ぶ円弧部分６１５とで囲まれた形状をしている。
板部６１は、図１１に示すように、中央部分に表側に凹入する凹入部分６１７を有し、当該凹入部分６１７に貫通孔６１９を有している。貫通孔６１９は引掛刃保持体２５の有底筒状部２５５の段差部分２５５ｃ（図６の（ｂ）参照）に嵌る。なお、板部６１の貫通孔６１９の周辺部分（凹入部分６１７の底部分である。）と、引掛刃保持体２５の有底筒状部２５５の底部分２５５ａとは略面一状となっている。貫通孔６１９は引掛刃保持体２５の凸部分２５５ｄに対応した凹部分６１９ａを有している。
板部６１は、図７の（ｂ）及び図１１の（ａ）に示すように、凹入部分６１７の周壁部分から裏側に「コ」字状に延伸するコ字延伸部分６２１を有している。コ字延伸部分６２１の内周端は、被取付部材の外周面に当接する。これにより、照明装置１の設置を容易に行える。
板部６１は、裏側から見たときに、外周縁形状が円弧状をする円弧部分６１５の内側に円弧部分６１５に沿って延伸する円弧溝６２３が設けられている。円弧溝６２３を構成する外周側の周壁６２３ａは、図９に示すように、ベース部材２のベース板２３の内筒部２３３に当接する。
板部６１における円弧溝６２３の外周部分６１ａはベース部材２のベース板２３の裏平坦部２３５に当接する。これにより、電源回路ユニット４側への埃等の侵入を防ぐとともに、裏カバー６の位置決めができる。
【００３０】
板部６１の裏面には、図１１の（ｂ）に示すように、裏側へと延伸する延伸片６２５，６２７が複数個設けられている。複数個の延伸片６２５，６２７は引掛刃保持体２５における有底筒状部２５５の筒状部分２５５ｂに当接する。これにより、板部６１の厚みを薄くしても、板部６１の表裏方向の変形を防止できる。なお、延伸片６２７は板状の連結部６２９により連結されている。
板部６１の裏面には、図１１の（ｂ）に示すように、裏側へと延伸する延伸棒６３１が複数本設けられている。延伸棒６３１における基部（板部６１側）から延伸方向の途中までの根元側部分６３１ａの横断面形状は十字状をし、延伸方向の途中から延伸棒６３１の先端までの先端側部分６３１ｂは、根元側部分６３１ａの１本の縦リブがそのまま延伸し、他の３本の縦リブに相当する部分が円弧となっている（全体として円形状に近い形状である。）。延伸棒６３１の根元側部分６３１ａは、図９に示すように、回路基板４３の貫通孔４３ａよりも大きく（太く）、貫通孔４３ａの周辺部に近接又は当接する状態で延伸する。延伸棒６３１の先端側部分６３１ｂは、図９に示すように、回路基板４３の貫通孔４３ａを挿通し、さらに、ベース部材２のベース板２３の貫通孔２３１ｆ（図５の（ａ）参照）を通り、ＬＥＤ基板３３の長手方向の端部の貫通孔３３１（図６の（ａ）参照）に嵌る。これにより、裏カバー６、回路基板４３、ベース部材２及びＬＥＤ基板３３の位置決めを同時に行える。また、回路基板４３は延伸棒６３１の根元側部分６３１ａにより支持される。
【００３１】
板部６１の裏面には、図１１の（ｂ）に示すように、裏側へと延伸する延伸片６３３が複数個設けられている。延伸片６３３の横断面形状は十字状をしている。延伸片６３３の先端部分は、図９に示すように、回路基板４３を固定するねじ体４７の頭部に当接する。
板部６１の裏面には、図１１の（ｂ）に示すように、裏側へと延伸するボス６３５が複数本設けられている。ボス６３５は底部分に貫通孔を有する。当該貫通孔にはねじ体（図示省略）が挿通し、当該ねじ体がベース部材２のベース板２３のねじ孔２３１ｇ（図５参照）に螺合する。
板部６１の裏面には、図１１の（ｂ）に示すように、裏側へと延伸する延伸棒６３７が設けられている。延伸棒６３７における基部（板部６１側）から延伸方向の途中までの根元側部分６３７ａの横断面形状は十字状をし、延伸方向の途中から延伸棒６３７の先端までの先端側部分６３７ｂの横断面形状は円形状をしている。延伸棒６３７の先端側部分６３７ｂは、ベース部材２のベース板２３の貫通孔２３１ｆ（図５の（ａ）参照）を挿通し，ＬＥＤ基板３３の貫通孔３３１（図６の（ａ）参照）に嵌る。
【００３２】
（６）外カバー
外カバー７は、図２に示すように、ベース部材２側に取り付けられるフレーム７１と、フレーム７１に取り付けられるドーム状の透光性カバー７５とを有する。
（６−１）フレーム
主に、図８、図１２及び図１３を用いて説明する。
フレーム７１は、図１２に示すように、中央に貫通孔７１１を有する環状をし、貫通孔７１１にベース部材２の裏側部分が嵌る。ここでの環状は円環状である。フレーム７１は、図８の（ａ）及び図１２に示すように、円環部７１３と、円環部７１３の内周縁に設けられた内筒状部７１５と、円環部７１３の外周縁に設けられた外筒状部７１７とを有している。
円環部７１３は、図８の（ａ）及び図１２の（ａ）に示すように、径方向に延伸するリブ７１９を周方向に間隔をおいて複数本有している。円環部７１３は内筒状部７１５の外周側に環状溝７２１を有している。環状溝７２１は裏側が開口している。環状溝７２１を構成する内周側壁は、図１３に示すように、内筒状部７１５により構成されている。環状溝７２１の底壁７２１ａは、図１３に示すように、内筒状部７１５の表裏方向の略中央と連結している。
内筒状部７１５には、図１２に示すように、装着部７２３が設けられている。装着部７２３はフレーム７１を表カバー５に装着するためのものである。装着部７２３は周方向に間隔をおいて複数個、ここでは４個設けられている。装着部７２３は、内筒状部７１５の表側端から内側（円環部７１３の中心側）に向かって張り出し且つ周方向に沿って延伸する係止片７２５により構成されている。フレーム７１の係止片７２５は表カバー５の係止片５７１（図８の（ａ）参照）に係合する。
【００３３】
フレーム７１を表カバー５に装着する際には、図１３に示すように、フレーム７１の環状溝７２１にベース部材２の外筒部２３７と外鍔部２３９とが当接している。これにより、フレーム７１の径方向への移動が規制される。
外筒状部７１７は、図１２に示すように、表側拡がりの段付き円筒状をしている。外筒状部７１７の外周縁には装着部７３１が設けられている。装着部７３１は、図１２の（ａ）に示すように、表側が開口する装着溝７３３と、装着溝７３３内へと張り出す係合凸部７３５とから構成される。装着溝７３３は、同図に示すように、外筒状部７１７における表側端に位置する周壁７１７ａと、周壁７１７ａの内側であって周壁７１７ａと径方向に間隔をおいて設けられた内周壁７３１ａとから構成される。係合凸部７３５は、周方向に間隔をおいて複数個、ここでは８個設けられている。係合凸部７３５は透光性カバー７５の係合凹部７５５（図１４参照）に係合する。
【００３４】
（６−２）透光性カバー
主に図１４を用いて説明する。
透光性カバー７５は、ドーム状に表側に膨出する膨出部７５１と、膨出部７５１の開口端から裏側へ延伸する筒部７５３とを有する。筒部７５３の外周面にはフレーム７１の係合凸部７３５（図１２の（ａ）参照）が係合する係合凹部７５５が設けられている。
３．ベース部材
図１５の（ａ）を用いて説明する。
ベース部材２は適用畳数が異なる複数種類の照明装置に共通して適用される。ベース部材２の有底筒状部２１の底部分である表平坦部２３１は、最大の適用畳数のＬＥＤモジュール３Ｃが配されるように構成されている。
ベース部材２の中心を「Ｏ」とし、中心Ｏと引掛刃保持体２５のベース部２５３の外周縁との最大距離を半径とする円Ｃ１の直径を「Ｄ１」とし、有底筒状部２１の表平坦部２３１の外周円Ｃ２の直径を「Ｄ２」とし、裏平坦部２３５の内周円Ｃ３の直径を「Ｄ３」とし、ベース部材２の外周円Ｃ４の直径を「Ｄ４」とする。円Ｃ１と表平坦部２３１の外周円Ｃ２との距離を「Ｌ１」とし、表平坦部２３１の外周円Ｃ２と裏平坦部２３５の内周円Ｃ３との距離を「Ｌ２」とし、裏平坦部２３５の内周円Ｃ３とベース部材２の外周円Ｃ４との距離を「Ｌ３」とする。
【００３５】
ベース部材２におけるＬＥＤモジュール３Ｃを装着する部分の幅（距離Ｌ１）は、ＬＥＤモジュール３Ｃを装着する部分よりも外側に位置する部分の幅（距離Ｌ２と距離Ｌ３を加算したもの）よりも大きくなっている。つまり、ベース部材２は表側から見たときに円形状をし、ＬＥＤモジュール３Ｃを装着する部分が、引掛刃保持体２５を除いたベース部材２の直径の半分以上を占めている。これを数字で表すと、
Ｌ１／（Ｄ４−Ｄ１）  ＞  （Ｌ２＋Ｌ３）／（Ｄ４−Ｄ１）
となる。
【００３６】
４．共通部品
照明装置１は、ＬＥＤ素子３１の数が照明装置１の適用畳数に対応して異なり、複数種類ある。ここでは、１．概要の項目で説明したように、ＬＥＤモジュール３Ａを利用する６畳以下タイプ、ＬＥＤモジュール３Ｂを利用する８畳以下のタイプ、ＬＥＤモジュール３Ｃを利用する１２畳以下のタイプの３種類ある。共通部品として表カバー５、裏カバー６がある。これらはベース部材２に装着される。
複数の適用畳数に対応する共通部品を有する照明装置１について、図１５を用いて説明する。
ＬＥＤモジュール３や電源回路ユニット４を装着するベース部材２は、表側から見た場合に、ベース部材２の中心Ｏと有底筒状部２１の表平坦部２３１の外周円Ｃ２との距離を「Ａ」とし、裏平坦部２３５の内周円（有底筒状部２１の外周縁に相当する。）Ｃ３とベース部材２の外周円（ベース部材２の外周縁に相当する。）Ｃ４との距離を「Ｂ」とする。なお、距離Ｂは、図１５の（ａ）に示す距離Ｌ３に相当する。このとき、距離Ａが距離Ｂよりも大きい。これにより、最大適用畳数用のＬＥＤモジュール３Ｃを搭載する領域を確保できる。
フレーム７１の内周円Ｃ５とフレーム７１の外周円Ｃ６との距離を「Ｃ」とする。このとき、距離Ａが距離Ｂよりも大きく、距離Ｃが距離Ｂよりも大きい。これにより、照明装置１の全体における発光部（ＬＥＤ素子３１）の位置がバランスよくなる。
【００３７】
５．組立について
（１）ベース部材２はベース板２３と引掛刃保持体２５とを一体成形して得られる。このため、ベース板と引掛刃保持体とを別体で構成した後に両者を結合する場合に比べて、結合工程が不要となり、組み立てが容易に行える。
（２）ベース板２３の中央の貫通孔は一体成形により引掛刃保持体２５により塞がれる（貫通孔の周縁が露出していない。）ため、ベース板と引掛刃保持体とを結合する必要がなくなり、照明装置を組み立てる作業者が金属のベース板２３の貫通孔の周縁でケガをするようなことを防げる。また、安全に作業ができるため、作業効率を向上させることができる。
（３）引掛刃保持体２５は絶縁性の高い樹脂材料（例えば、ポリカーボネイト等である。）を利用しているため、一対の引掛刃２５１，２５１に対する絶縁対策が不要となる。
（４）ＬＥＤ基板３３は正六角形の隣接する２辺に相当する「へ」字状をしている。これにより、正六角形の一辺に相当する矩形状のＬＥＤ基板を６枚使用した場合に比べて、隣接するＬＥＤ基板３３同士を電気的に接続する工数を少なくできる。
（５）ＬＥＤ基板３３は正六角形の隣接する２辺に相当する「へ」字状をしている。これにより、正六角形の一辺に相当する矩形状のＬＥＤ基板を６枚使用した場合に比べて、ＬＥＤ基板３３の数が半分になり、ＬＥＤ基板３３をベース部材２に装着する工数を少なくできる。
（６）表カバー５はＬＥＤ基板３３に当接又は近接する突出片５３１ａを有している。突出片５３１ａは「へ」字状のＬＥＤ基板３３の長手方向の中央付近、つまり、「へ」字状における屈曲した部分に向かって延伸するように設けられている。これにより、ＬＥＤ基板３３をベース板２３に固定するためのねじ体３４の本数が少なくなり、ねじ体３４の螺着工程を少なくできる。
（７）引掛刃２５１と電源回路ユニット４とを接続する電気ケーブル２６は、引掛刃保持体２５の有底筒状部２５５の外面に沿って配されている。特に、裏側から見た有底筒状部２５５の形状が長円状をし、長軸と平行な辺であってその中央を長軸と直交するように電気ケーブル２６が配されている。このため、引掛刃２５１と電気ケーブル２６との間に十分な間隔が形成され、接続作業を効率よく行うことができる。
（８）電源回路ユニット４は、ベース部材２のベース板２３の有底筒状部２１の底部分、つまり、表平坦部２３１の裏面に配されている。表平坦部２３１は、適用畳数が複数種類に対応できるように、最も面積の広いＬＥＤモジュール３Ｃを装着できる面積を有している。このため、電源回路ユニット４を収容する面積（スペース）が広くなり、１枚の基板を利用して回路部品を実装できる。これにより、複数枚の回路基板を利用する場合に比べて、取付工数を少なくできる。また、１枚の回路基板４３を利用しているため、基板同士を接続する必要がなくなる。
（９）回路基板４３は、裏側から見た形状が長円状をする引掛刃保持体２５に沿った「Ｌ」字状をしている。このため、回路基板４３が表平坦部２３１と平行な方向へ移動するのが規制され、回路基板４３をベース部材２に取り付けるためのねじ体４７の本数が少なくなり、ねじ体４７の螺着工程を少なくできる。
（１０）引掛刃保持体２５は回路基板４３を表側から支持するピン２５３ｂを有している。また、ベース板２３は回路基板４３を固定するねじ体４７用のねじ孔を凸部２３１ｄの頂部に備えている。このため、回路基板４３の貫通孔４３ｂをピン２５３ｂに嵌めた状態で、ねじ体４７を螺合するだけで、回路基板４３をベース板２３に対して間隔をおいた状態で容易に固定できる。なお、ピン２５３ｂは引掛刃保持体２５の成形時に成形されるため、ピン２５３ｂを後からベース板に設ける作業等が不要である。
【００３８】
６．装置について
（１）裏カバー６は、引掛刃保持体２５に当接する延伸片６２５，６２７を板部６１に有している。これにより、板部６１の変形が抑制されるため板部６１を薄くできる。従って、軽量化及び低コスト化を図ることができる。
（２）ベース部材２のベース板２３の有底筒状部２１の底部分、つまり、表平坦部２３１は、照明装置１の適用畳数（適用面積）が複数種類に対応できるように、最大適用畳数のＬＥＤモジュール３ＣのＬＥＤ基板３３用に設定されている。これにより、ベース部材２の部品の共通化が可能となる。
（３）ベース部材２のベース板２３の有底筒状部２１の底部分、つまり、表平坦部２３１は、照明装置１の適用畳数が複数種類に対応できるように構成されている。これにともなって、表カバー５及び裏カバー６も表平坦部２３１に対応しており、表カバー５及び裏カバー６についても部品の共通化が可能となる。
（４）外カバー７は表カバー５に対して着脱可能に構成されている。このため、ＬＥＤモジュール３の仕様に合わせた仕様の外カバー７を表カバー５に装着すればよく、装置全体を適用畳数に合わせて製造する場合に比べて、低コストで複数種類の照明装置に対応できる。
（５）上記のようにベース部材２の表平坦部２３１の面積が広いため、電源回路ユニット４として１枚の片面実装型の基板を利用することができ、安価に実施できる。
（６）裏側から見たときの回路基板４３の形状は「Ｌ」字に近い形状をし、「Ｌ」を構成する２つの基板部の長さと幅とが互いに異なる。引掛刃保持体２５は裏側から見たときの形状が長円状をしているため、引掛刃保持体２５とベース板２３の内筒部２３３との間隔が異なる。回路基板４３は、所定の向き（姿勢）の場合に引掛刃保持体２５と内筒部２３３との間に嵌る。このため、ベース部材２に対して回路基板４３が間違った部位に配されるようなことをなくすることができる。
（７）電源回路ユニット４とＬＥＤモジュール３とを接続する電気ケーブル４６は、ベース部材２の表平坦部２３１の表裏に配された回路基板４３とＬＥＤ基板３３とを接続する。このため、電気ケーブル４６を短くできる。
（８）引掛刃２５１と電源回路ユニット４とを接続する電気ケーブル２６は、引掛刃保持体２５の有底筒状部２５５の外面に沿って配されている。特に、裏側から見た有底筒状部２５５の外周形状が長円状をし、長軸（長手方向）と平行な辺であってその中央を長軸と直交するように電気ケーブル２６が配されている。この位置は、「Ｌ」字状の回路基板４３の長い方の基板部に相当する。回路基板４３の長い方の基板部は、短い方の基板部よりも幅が広く、面積も広い。このため、裏カバー６内の広いスペースに電気ケーブル２６を配することができ、電気ケーブル２６の引き回しの自由度を高めることができる。
（９）引掛刃保持体２５は、表側から見たときに長尺状のベース部２５３を有し、ベース部２５３の長手方向に長い長円状の貫通孔２５３ａがベース部２５３に設けられている。ベース部２５３における外周を構成し且つ短手方向と平行な辺と、当該辺に隣接する辺との間の角度が１２０［度］となっている。ＬＥＤモジュール３は矩形状の２枚の基板部を「へ」字状に設けた形状をし、２枚の基板部間の角度が１２０［度］となっている。このため、最大適用畳数用のＬＥＤモジュール３Ｃを配した際に、引掛刃保持体２５のベース部２５３の外周縁と、ＬＥＤモジュール３Ｃの内周縁とが当接又は近接し、ベース部材２の表平坦部２３１のＬＥＤ基板３３の実装面積を効率よく確保できる。
【００３９】
以上、実施形態を説明したが、この実施形態に限られるものではなく、例えば、以下のような変形例であってもよい。また、実施形態と変形例、変形例同士を組み合わせたものであってよい。
また、実施形態や変形例に記載していていない例や、要旨を逸脱しない範囲の設計変更があっても本発明に含まれる。
【００４０】
＜変形例＞
１．ベース部材
実施形態に係るベース部材２のベース板２３は金属製であったが、例えば、樹脂材料により構成してもよい。この場合、ＬＥＤ基板３３や回路基板４３との絶縁性を確保しやすくなる。
ベース部材２のベース板２３の表面及び裏面に例えば絶縁性の樹脂材料を塗布してもよい。ベース板２３の表面に、例えば反射シートを配してもよいし、反射塗料（白色塗料）を塗布してもよいし、熱伝導性の高い熱シートを配してもよい。
実施形態では、ベース板２３と引掛刃保持体２５とが一体成形品で構成されていたが、別体で構成し、引掛刃保持体をベース板２３に結合する構成であってよい。
実施形態では、ベース部材２の有底筒状部２５５を表側から見た形状が円形状をしていたが、他の形状、例えば、六角形、八角形等の多角形状でもよいし、楕円状や長円状でもよい。
【００４１】
２．ＬＥＤモジュール
実施形態のＬＥＤモジュール３は、表側から見たときに「へ」字状をしていたが、他の形状、例えば、円弧状であってもよいし、２つの基板部を直角に結合した「Ｌ」字状であってもよい。
【００４２】
３．表カバー
実施形態では、表カバー５は２つの表カバー体５１Ａ，５１Ｂから構成されていたが、１個の表カバー体により構成してもよいし、３個以上の複数個の表カバー体により構成してもよい。
また、表カバーに貫通孔や欠け部を設け、ＬＥＤモジュール３の放熱性を高めてもよい。貫通孔や欠け部は、フレーム７１の装着やＬＥＤモジュール３の配光特性に影響を及ぼさない部位又は影響の少ない部位に設けるのが好ましい。貫通孔や欠け部は、人の指が入らない大きさが好ましく、その数は特に限定しない。
【００４３】
４．裏カバー
実施形態では、裏カバー６は放熱用の貫通孔や欠け部を有していないが、例えば、貫通孔や欠け部を設け、電源回路ユニット４の放熱性を高めてもよい。貫通孔や欠け部は、人の指が入らない大きさが好ましく、その数は特に限定しない。
【符号の説明】
【００４４】
１    照明装置
２    ベース部材
３    ＬＥＤモジュール
４    電源回路ユニット
２３    ベース板
２５    引掛刃保持体
３１    ＬＥＤ基板
３３    ＬＥＤ基板
４３    回路基板
２５１    引掛刃
【図１】
2017188388.tif 000003
【図２】
2017188388.tif 000004
【図３】
2017188388.tif 000005
【図４】
2017188388.tif 000006
【図５】
2017188388.tif 000007
【図６】
2017188388.tif 000008
【図７】
2017188388.tif 000009
【図８】
2017188388.tif 000010
【図９】
2017188388.tif 000011
【図１０】
2017188388.tif 000012
【図１１】
2017188388.tif 000013
【図１２】
2017188388.tif 000014
【図１３】
2017188388.tif 000015
【図１４】
2017188388.tif 000016
【図１５】
2017188388.tif 000017